(57)【要約】 【課題】  作業性の向上を図る。【解決手段】  シールドコネクタＡは、電線１０の端末に接続した端子金具４０を収容するハウジング２０と、ハウジング２０に設けた金属製のシールドシェル３０と、シールド部材１１の端末部とシールドシェル３０とを接続する筒状接続部材５０とを備えている。シールドシェル３０をハウジング２０に設け、そのシールドシェル３０にシールド部材１１の端末部を接続したので、ハウジング２０を相手側ハウジングに接続したときに、相手側ハウジングのアース部材にシールドシェル３０を接続させることが可能となり、ハウジング２０の接続作業とは別にシールド部材１１をアース部材に接続する作業が不要となる。【選択図】  図２
2005317485.tif 000002
【特許請求の範囲】
【請求項１】
複数本の電線を編組線からなる筒状のシールド部材により一括して包囲した形態のシールド導電路に接続されるシールドコネクタであって、  前記電線の端末に接続した端子金具を収容するハウジングと、
前記ハウジングに前記端子金具を包囲する形態で設けた金属製のシールドシェルと、
前記シールド部材の端末部と前記シールドシェルとを接続する接続手段とを備えてなることを特徴とするシールドコネクタ。
【請求項２】
前記シールドシェルが前記ハウジングに対してインサート成形により一体化されていることを特徴とする請求項１記載のシールドコネクタ。    
【請求項３】
前記接続手段が、前記シールド部材の端末部をカシメ付けにより固着させる金属製の筒状接続部材を備えて構成されていることを特徴とする請求項１又は請求項２記載のシールドコネクタ。
【請求項４】
前記シールドシェルにおける前記筒状接続部材との接続部が筒状をなし、そのシールドシェルの筒状の接続部と前記筒状接続部材とが、その周面同士を重ねた状態で接続される構成としたことを特徴とする請求項３に記載のシールドコネクタ。
【請求項５】
前記ハウジングには、前記シールドシェルと前記接続手段との接続部分を覆うカバーが取り付けられていることを特徴とする請求項１ないし請求項４のいずれかに記載のシールドコネクタ。
【請求項６】
前記接続手段は、
金属細線を編み込んで略筒状に形成されたシールドジャケットと、
シールドジャケットの一方の端部を前記シールド部材の端部に嵌合した状態で、その外周側に配されてかしめ付けられる第１かしめリングと、
シールドジャケットの他方の端部を前記シールドシェルの端部に外嵌した状態で、シールドジャケットの他方の端部の外周側に配されてかしめ付けられる第２かしめリングとから構成されていることを特徴とする請求項１または請求項２記載のシールドコネクタ。
【請求項７】
前記接続手段は、前記シールド部材の端部を前記シールドシェルの端部に外嵌した状態で、シールド部材の端部の外周側に配されてかしめ付けられるかしめリングにより構成されていることを特徴とする請求項１または請求項２記載のシールドコネクタ。
【請求項８】
前記接続手段は、前記シールド部材の端部を前記シールドシェルの端部に外嵌した状態で、前記シールド部材の端部の外周側に配されてかしめ付けられるかしめリングにより構成され、
前記シールドシェルが前記ハウジングに対して後付けにより装着されるようになっていることを特徴とする請求項１記載のシールドコネクタ。
【請求項９】
前記シールドシェルには、前記ハウジングに装着されるに先立って、予め前記かしめリングによって前記シールド部材の端部が固着されていることを特徴とする請求項８記載のシールドコネクタ。
【請求項１０】
前記シールドシェルには、前記ハウジングの被係止部と弾性係合可能な係止部が設けられており、これら係止部と被係止部とによる弾性係合に基づいて前記シールドシェルが前記ハウジングに装着されるようになっていることを特徴とする請求項８又は請求項９記載のシールドコネクタ。
【請求項１１】
前記ハウジングにおける前記シールドシェルの内周側には、前記電線を包囲する形態の絶縁性の短絡防止部が設けられていることを特徴とする請求項７ないし請求項１０のいずれかに記載のシールドコネクタ。
【発明の詳細な説明】
【技術分野】
【０００１】
本発明は、シールドコネクタに関するものである。
【背景技術】
【０００２】
従来、複数本の電線を編組線からなる筒状のシールド部材により一括して包囲した形態のシールド導電路の端末処理構造として、各電線の端末に接続した端子金具をハウジング内に収容し、シールド部材の端末部を寄り合わせて形成したケーブルを導電路から分岐させ、その分岐させたケーブルの端末にアース端子を固着し、アース端子をボディや機器等のアース部材に接続するものがあった。尚、複数本の電線を編組線からなる筒状のシールド部材により一括して包囲した形態のシールド導電路の端末において、導電路から分岐される形態のアース回路を設ける処理構造としては、特許文献１に記載されているものがある。
【特許文献１】特開平８−９６９１９号公報
【発明の開示】
【発明が解決しようとする課題】
【０００３】
上記従来のようにアース回路を導電路から分岐させる構造の場合、端子金具が収容されているハウジングを相手側ハウジングに接続する作業とは別に、アース端子を接続する作業が必要となり、工程数が増えて作業効率が悪いという問題があった。
【０００４】
本発明は上記のような事情に基づいて完成されたものであって、作業性の向上を図ることを目的とする。
【課題を解決するための手段】
【０００５】
上記の目的を達成するための手段として、請求項１の発明は、複数本の電線を編組線からなる筒状のシールド部材により一括して包囲した形態のシールド導電路に接続されるシールドコネクタであって、前記電線の端末に接続した端子金具を収容するハウジングと、前記ハウジングに前記端子金具を包囲する形態で設けた金属製のシールドシェルと、前記シールド部材の端末部と前記シールドシェルとを接続する接続手段とを備えてなるところに特徴を有する。
【０００６】
請求項２の発明は、請求項１記載のものにおいて、前記シールドシェルが前記ハウジングに対してインサート成形により一体化されているところに特徴を有する。
【０００７】
請求項３の発明は、請求項１又は請求項２に記載のものにおいて、前記接続手段が、前記シールド部材の端末部をカシメ付けにより固着させる金属製の筒状接続部材を備えて構成されているところに特徴を有する。
【０００８】
請求項４の発明は、請求項３に記載のものにおいて、前記シールドシェルにおける前記筒状接続部材との接続部が筒状をなし、そのシールドシェルの筒状の接続部と前記筒状接続部材とが、その周面同士を重ねた状態で接続される構成としたところに特徴を有する。
【０００９】
請求項５の発明は、請求項１ないし請求項４のいずれかに記載のものにおいて、前記ハウジングには、前記シールドシェルと前記接続手段との接続部分を覆うカバーが取り付けられているところに特徴を有する。
【００１０】
請求項６の発明は、請求項１または請求項２に記載のものにおいて、前記接続手段は、金属細線を編み込んで略筒状に形成されたシールドジャケットと、シールドジャケットの一方の端部を前記シールド部材の端部に嵌合した状態で、その外周側に配されてかしめ付けられる第１かしめリングと、シールドジャケットの他方の端部を前記シールドシェルの端部に外嵌した状態で、シールドジャケットの他方の端部の外周側に配されてかしめ付けられる第２かしめリングとから構成されているところに特徴を有する。
【００１１】
請求項７の発明は、請求項１または請求項２に記載のものにおいて、前記接続手段は、前記シールド部材の端部を前記シールドシェルの端部に外嵌した状態で、シールド部材の端部の外周側に配されてかしめ付けられるかしめリングにより構成されているところに特徴を有する。
【００１２】
請求項８の発明は、請求項１記載のものにおいて、前記接続手段は、前記シールド部材の端部を前記シールドシェルの端部に外嵌した状態で、前記シールド部材の端部の外周側に配されてかしめ付けられるかしめリングにより構成され、前記シールドシェルが前記ハウジングに対して後付けにより装着されるようになっているところに特徴を有する。
【００１３】
請求項９の発明は、請求項８記載のものにおいて、前記シールドシェルは、前記ハウジングに装着されるに先立って、予め前記かしめリングによって前記シールド部材の端部が固着されているところに特徴を有する。
【００１４】
請求項１０の発明は、請求項８又は請求項９記載のものにおいて、前記シールドシェルには、前記ハウジングの被係止部と弾性係合可能な係止部が設けられており、これら係止部と被係止部とによる弾性係合に基づいて前記シールドシェルが前記ハウジングに装着されるようになっているところに特徴を有する。
【００１５】
請求項１１の発明は、請求項７ないし請求項１０のいずれかに記載のものにおいて、前記ハウジングにおける前記シールドシェルの内周側には、前記電線を包囲する形態の絶縁性の短絡防止部が設けられているところに特徴を有する。
【発明の効果】
【００１６】
＜請求項１の発明＞
シールドシェルをハウジングに設け、そのシールドシェルにシールド部材の端末部を接続したので、ハウジングを相手側ハウジングに接続したときに、相手側ハウジングのアース部材にシールドシェルを接続させることが可能となる。したがって、ハウジングの接続作業とは別にシールド部材をアース部材に接続する作業が不要となる。
【００１７】
＜請求項２の発明＞
シールドシェルとハウジングとをインサート成形によって一体化させたので、成形済みのハウジングにシールドシェルを組み付ける構造のものに比べると、組付け現場における組付け工数が少なくて済む。
【００１８】
＜請求項３の発明＞
編組線からなるシールド部材は変形し易いのであるが、シールド部材の端末部を金属製の筒状接続部材に固着することで、シールドシェルへの接続を容易化つ確実に行うことが可能となる。
【００１９】
＜請求項４の発明＞
シールドシェルと筒状接続部材とが周面同士を重ねる形態で接続するようになっているので、接触面積を広く確保することができるとともに、シールドシェルと筒状接続部材との間に軸線方向の隙間が空かずに済み、安定したシールド性能を得ることができる。
【００２０】
＜請求項５の発明＞
シールドシェルと接続手段との接続部分は、ハウジングに取り付けたカバーで覆うことにより、異物の干渉等から保護される。
【００２１】
＜請求項６の発明＞
シールド部材をシールドシェルに対してシールドジャケットを介して接続することができる。
【００２２】
＜請求項７の発明＞
シールド部材をシールドシェルに対して直接接続することができる。
【００２３】
＜請求項８の発明＞
シールドシェルをハウジングに後付けで装着するようにしたので、シールドシェルの付け替えが可能となる。
【００２４】
＜請求項９の発明＞
ハウジングに装着するに先立って、予めシールドシェルにシールド部材の端部を固着するようにしたから、組付け現場においてシールド導電路の端末処理やシールド導電路とシールドシェルとの接続作業を行わずに済む。
【００２５】
＜請求項１０の発明＞
シールドシェルの係止部とハウジングの被係止部とによる弾性係合に基づいてシールドシェルをハウジングに装着するから、シールドシェルのハウジングへのワンタッチ装着が可能となる。
【００２６】
＜請求項１１の発明＞
ハウジングにおけるシールドシェルの内周側に電線を包囲する形態の絶縁性の短絡防止部を設けるようにしたから、何らかの事情によって電線の被覆部分が剥がれて導体が露出したとしても、かかる導体は短絡防止部に当接することでシールドシェルとの電気的な接続を回避できる。
【発明を実施するための最良の形態】
【００２７】
＜実施形態１＞
以下、本発明を具体化した実施形態１を図１乃至図１８を参照して説明する。尚、以下の説明において、軸線方向と前後方向とは同義で用いる。
【００２８】
本実施形態のシールドコネクタＡが接続されるシールド導電路Ｂについて説明すると、シールド導電路Ｂは、３本（本実施形態では３本であるが、２本又は４本以上でもよい）の電線１０を筒状のシールド部材１１により一括して包囲した形態である。電線１０は、導体の外周を絶縁被覆で包囲した周知構造の非シールド電線である。シールド部材１１は、多数本の金属細線をメッシュ状に編み込んだ編組線からなり、軸線方向及び径方向のいずれにも伸縮自在な柔軟性を有している。シールド部材１１の外周にはシース１２が被着されている。
【００２９】
シールドコネクタＡは、シールド導電路Ｂの端末部に接続されるものであって、ハウジング２０と端子金具４０とシールドシェル３０と筒状接続部材５０とカシメリング５５とカバー６０とゴムブーツ７０とを備えている。
【００３０】
ハウジング２０は、合成樹脂製であって、その内部には前後方向に貫通する３室のキャビティ２１が形成されている。ハウジング２０の略前半部分には略角形のフード部２２が形成され、このフード部２２の外面に門型をなすレバー２３が回動可能に支持されている。レバー２３は、相手側ハウジング（図示せず）と本実施形態のハウジング２０とを嵌合（接続）する際の作業性向上を図るために用いられる周知の嵌合・離脱手段である。ハウジング２０の略後半部分は外形が円形をなす嵌合部２４とされており、この嵌合部２４の後端部は、キャビティ２１の後端よりも更に後方へ延出された円形の嵌合筒部２５となっている。
【００３１】
このハウジング２０には、ハウジング２０を金型成形する際にインサート成形によってハウジング２０と一体化された形態のシールドシェル３０が設けられている。シールドシェル３０は、略前半部分が角筒部３１となっているとともに、略後半部分が円筒部３２となっている。この角筒部３１と円筒部３２とは段差部を介して前後に連なっているため、全長に亘って一定の断面形状のものに比べると、シールドシェル３０は全体としての強度及び剛性が高められている。したがって、インサート成形の際にシールドシェル３０が射出圧によって変形を来たす虞はない。角筒部３１の上板と左右両板には弾性接触片３３が形成されている。円筒部３２には、周方向に等角度間隔を空けた４箇所に弾性接触片３４が形成されている。また、円筒部３２には抜止め孔３５が形成されている。かかるシールドシェル３０は、ハウジング２０の外面に沿うように且つハウジング２０の内部に埋設された状態とされており、抜止め孔３５の内部にハウジング２０の一部が入り込むことで、シールドシェル３０がハウジング２０に対して抜止め状態に位置決め及び保持されている。
【００３２】
角筒部３１は、フード部２２の内周に沿って露出した形態となっているとともに、キャビティ２１内の３つの端子金具４０を一括して包囲するようになっている。ハウジング２０が相手側ハウジングに接続した状態では、相手側ハウジングの外周に設けられたアース部材（図示せず）に対し角筒部３１の弾性接触片３３が弾性的に接触するようになっている。尚、シールドシェルが成形済みのハウジングに組み付けられる構造の場合には、シールドシェルとハウジングとの間に公差等を考慮して確保されるクリアランスにより、弾性接触片の径方向への弾性撓みを許容することが可能であるが、本実施形態ではシールドシェル３０とハウジング２０とがインサート成形によって互いに密着した状態になるため、そのままでは、シールドシェル３０とハウジング２０との間に弾性接触片３３の径方向への弾性撓みを許容するための空間を確保することができない。そこで、本実施形態では、フード部２２に、金型成型（インサート成形）の際にフード部２２の肉が弾性接触片３３に密着して弾性接触片３３の撓み動作を規制してしまうことを回避するために、外面に開放された型抜き孔２６が形成されており、これにより、弾性接触片３３の径方向への弾性撓みが可能となっている。
【００３３】
一方、円筒部３２は、嵌合部２４の内部においてキャビティ２１及びキャビティ２１内の３つの端子金具４０を一括して包囲するように、且つ嵌合部２４と同心状に配されており、円筒部３２の後端部は嵌合筒部２５の内周に沿って露出されている。円筒部３２の弾性接触片３４はこの露出部分に配されており、後述する筒状接続部材５０が嵌合筒部２５内に嵌入されると、その筒状接続部材５０に対して弾性接触片３４が弾性的に接触するようになっている。尚、シールドシェルが成形済みのハウジングに組み付けられる構造の場合には、シールドシェルとハウジングとの間に公差等を考慮して確保されるクリアランスにより、弾性接触片の径方向への弾性撓みを許容することが可能であるが、本実施形態ではシールドシェル３０とハウジング２０とがインサート成形によって互いに密着した状態になるため、そのままでは、シールドシェル３０とハウジング２０との間に弾性接触片３４の径方向への弾性撓みを許容するための空間を確保することができない。そこで、本実施形態では、嵌合筒部２５に、金型成型の際に嵌合筒部２５の肉が弾性接触片３４に密着して弾性接触片３４の撓み動作を規制してしまうことを回避するために、外面に開放された型抜き孔２７が形成されており、これにより、弾性接触片３３の径方向への弾性撓みが可能となっている。
【００３４】
各電線１０の端末部には、夫々、雌形の端子金具４０が固着されている。端子金具４０は後方からキャビティ２１内に挿入され、キャビティ２１の内壁に沿って形成したランス２１ａの係止作用によって抜止めされている。端子金具４０の後端から延出した電線１０は嵌合筒部２５を通過してハウジング２０の後方へ導出されている。
【００３５】
筒状接続部材５０は、シールド導電路Ｂのシールド部材１１とシールドシェル３０とを接続するための接続手段であって、金属材料からなる。筒状接続部材５０の前後方向（軸線方向）における前端側のほぼ１／３の領域は円形の大径部５１となっており、後端側のほぼ２／３の領域は、大径部５１よりも径が小さく且つ大径部５１と同心の円形をなす小径部５２となっていて、この大径部５１の後端と小径部５２の前端とは同心の円環部５３を介して段差状に連なっている。また、小径部５２の外周には、軸線方向略中央位置を周方向に浅く凹ませた形態のカシメ用の凹部５４が形成されている。かかる筒状接続部材５０の大径部５１は、ハウジング２０の嵌合筒部２５内に嵌入されてシールドシェル３０の円筒部３２に接続されるようになっている。
【００３６】
カバー６０は、合成樹脂製であって、その略後半部分は円筒状をなす円形包囲部６１とされている。円形包囲部６１の前端には、全周に亘って同心円環状をなすフランジ部６２が径方向外側へ張り出すように形成されており、このフランジ部６２の外周縁のうち上端部を除いた領域からは、円形包囲部６１と同心の円弧状をなす弧状包囲部６３が前方へ延出されている。この弧状包囲部６３はカバー６０の略前半領域に位置する。円形包囲部６１の外周には、カバー６０に装着されたゴムブーツ７０を抜止めするために左右一対の引掛部６４が形成されている。弧状包囲部６３には、カバー６０をハウジング２０に対して離脱規制するためのロック孔６５が形成されている。ゴムブーツ７０は、シールド導電路Ｂの端末部に対して覆うように被せられるものであって、前端部がカバー６０の円形包囲部６１に外嵌されるようになっている。
【００３７】
次に、シールド導電路Ｂの端末処理と、処理済みのシールド導電路ＢとシールドコネクタＡとの接続工程を説明する。
【００３８】
シールド導電路Ｂの端末処理に際しては、まず、端末部（前端部）においてシース１２を除去してシールド部材１１を一定長さ露出させ、次いで、そのシールド部材１１の前端部を一定長さ除去して３本の電線１０の前端部を露出させる。この後、前方からカバー６０と円形のカシメリング５５とを、順にシールド部材１１に被せ、一旦、後方位置で待機させておく。この後、筒状接続部材５０を前方から３本の電線１０に被せて、その小径部５２を電線１０とシールド部材１１との隙間に進入させ、カシメリング５５を前方へスライドさせて、シールド部材１１の前端部を小径部５２とカシメリング５５との間に挟む。この状態でカシメリング５５をカシメ付けると、シールド部材１１の前端部が小径部５２とカシメリング５５との間で挟圧されるとともに、凹部５４においてシールド部材１１の引っ掛かり状態が構成される。これにより、シールド部材１１の前端部に筒状接続部材５０の小径部５２が導通可能に固着される。この後は、シールド部材１１を軸方向に縮めるように変形させつつ筒状接続部材５０を、一旦、後方へ退避させておき、その状態で、各電線１０の前端部に端子金具４０を接続する。以上より、シールド導電路Ｂの端末処理が完了する。
【００３９】
かかるシールド導電路ＢをシールドコネクタＡに接続する際には、まず、各端子金具４０をキャビティ２１内に挿入し、次いで、筒状接続部材５０を前方へスライドさせて、その大径部５１をハウジング２０の後端の嵌合筒部２５内に嵌入させる。このとき、大径部５１の前端が嵌合筒部２５の奥端面２８（キャビティ２１の後端が開口する面）に突き当たることによって前止まりされる。嵌合筒部２５に嵌入された大径部５１はシールドシェル３０の円筒部３２の内周に沿って径方向に重なった状態（大径部５１の外周面と円筒部３２の内周面とが対向又は接触する状態）となり、円筒部３２の弾性接触片３４が大径部５１の外周面に対して弾性的に接触し、もって、筒状接続部材５０とシールドシェル３０とが導通可能に接続され、ひいては、シールド部材１１とシールドシェル３０とが導通可能に接続された状態となる。
【００４０】
この後、後方で待機していたカバー６０を前方へスライドさせ、カバー６０の弧状包囲部６３をハウジング２０の嵌合部２４（嵌合筒部２５を含む）に対して径方向のガタ付きなく外嵌させるようにして組み付ける。正規の組付け状態になると、カバー６０がそのフランジ部６２を嵌合筒部２５の後端縁に突き当てることにより前止まりされるとともに、カバー６０のロック孔６５の前縁がハウジング２０のロック突起２９に対して前方から係止することにより、カバー６０がハウジング２０から後方へ離脱することが規制され、もって、カバー６０がハウジング２０に対して組み付け状態ロックされる。
【００４１】
なお、上記の場合において、予め筒状接続部材５０をカバー６０に組み付け、その後、筒状接続部材５０とともにカバー６０を前方へスライドさせてハウジング２０に組み付けても構わない。こうすると、筒状接続部材５０がカバー６０にガイドされつつ安定した姿勢をもって嵌合筒部２５内に挿入される。
【００４２】
カバー６０を組み付けた状態では、カバー６０のフランジ部６２に対して筒状接続部材５０の円環部５３が前方から当接することにより、筒状接続部材５０がハウジング２０に対して後方へ外れることが規制される。尚、嵌合筒部２５の内部では、その奥端面２８とカバー６０のフランジ部６２との間で、筒状接続部材５０の大径部５１が前後方向に移動できるようになっている。また、カバー６０の円形包囲部６１は、筒状接続部材５０のうちのハウジング２０から後方へ突出している小径部５２に対して径方向に隙間を空けて包囲する状態となる。
【００４３】
カバー６０を組み付けた後は、予めシールド導電路Ｂに外嵌させておいたゴムブーツ７０を前方へスライドさせ、このゴムブーツ７０の前端部をカバー６０の円形包囲部６１に対して密着状態で外嵌する。この状態では、円形包囲部６１に形成されている引掛部６４にゴムブーツ７０の前端部の内周が引っ掛かることにより、ゴムブーツ７０がカバー６０から後方へ外れることが規制される。また、ゴムブーツ７０は、シールド導電路Ｂのうちシース１２の除去によって露出状態となったシールド部材１１を包囲する。ゴムブーツ７０を装着した後は、ゴムブーツ７０の後端部をシース１２の前端部に外嵌し、そのゴムブーツ７０の後端部からシース１２に亘ってテープ（図示せず）を巻き付け、ゴムブーツ７０の後端部とシールド導電路Ｂとを一体化させるとともに、ゴムブーツ７０の後端におけるシールド導電路Ｂとの隙間を塞いで防水を図る。以上により、シールド導電路ＢとシールドコネクタＡとの接続が完了する。
【００４４】
上述のように本実施形態のシールドコネクタＡは、端子金具４０を収容するハウジング２０と、ハウジング２０に端子金具４０を包囲する形態で設けた金属製のシールドシェル３０と、シールド部材１１の端末部とシールドシェル３０とを接続する接続手段としての筒状接続部材５０とを備えている。つまり、シールドシェル３０をハウジングに設け、そのシールドシェル３０にシールド部材１１の端末部を接続する構造としているので、ハウジング２０を相手側ハウジングに接続したときに、相手側ハウジングのアース部材にシールドシェル３０を接続させることで、ハウジング２０の接続作業とは別にシールド部材１１をアース部材に接続する作業を不要にすることができる。
【００４５】
また、シールドシェル３０がハウジング２０に対してインサート成形により一体化されているので、成形済みのハウジングにシールドシェルを組み付ける構造のものに比べると、組付け現場における組付け工数が少なくて済む。
【００４６】
また、シールド部材１１とシールドシェル３０とを接続するための接続手段が、シールド部材１１の端末部をカシメ付けにより固着させる金属製の筒状接続部材５０とカシメリング５５とから構成されているが、これは、編組線からなるシールド部材１１が変形し易いということに鑑みたことによるものであり、シールド部材１１の端末部を金属製の筒状接続部材５０に固着することで、シールドシェル３０への接続が容易かつ確実に行うことが可能となっている。
【００４７】
また、シールドシェル３０における筒状接続部材５０との接続部である円筒部３２が筒状をなし、そのシールドシェル３０の円筒部３２と筒状接続部材５０の大径部５１とが、その周面同士を重ねた状態で接続されるようになっているので、接触面積を広く確保することができるとともに、シールドシェル３０と筒状接続部材５０との間に軸線方向の隙間が空かずに済み、安定したシールド性能を得ることができる。
【００４８】
また、ハウジング２０には、シールドシェル３０と筒状接続部材５０との接続部分を覆うカバー６０が取り付けられているが、このカバー６０により、シールドシェル３０と筒状接続部材５０との接続部分を異物の干渉等から保護することができる。
【００４９】
＜実施形態２＞
本発明の実施形態２を図１９によって説明する。この実施形態２では、上記した実施形態１にて示した筒状接続部材５０やカバー６０を除去するとともに、シールド部材１１とシールドシェル３０とをシールドジャケット８０を介して接続したものを示す。なおこの実施形態２では、上記した実施形態１と同様の構造、作用及び効果について重複する説明は省略する。
【００５０】
まず、ハウジング２０及びシールドシェル３０に関して上記実施形態１からの変更点を説明する。ハウジング２０の嵌合部２４のうち、シールドシェル３０の円筒部３２よりも外周側に配される部分については、後端側が所定長さ分だけ全周にわたって除肉されており、従って円筒部３２の後端部の外周面が外部に露出した状態とされる。また実施形態１に示した嵌合筒部２５については除去されており、その分だけシールドシェル３０の円筒部３２の長さも短くしてあるとともに実施形態１に示した弾性接触片３４について除去されている。
【００５１】
シールドジャケット８０は、金属細線を編み込むことで全体として前後に開口するとともに全電線１０を一括して包囲する略筒状に形成されており、後側の端部８０ａがシールド部材１１に、前側の端部８０ｂがシールドシェル３０に対してそれぞれかしめリング９０，９１によって圧着接続されている。詳しくは、シールドジャケット８０における後側の端部８０ａは、外部に露出したシールド部材１１の前端部１１ａに対して外嵌されることで、両者の端部１１ａ，８０ａ同士が径方向の内外に重なった（対向した）配置とされる。この状態でシールドジャケット８０の後側の端部８０ａの外周側には、金属製の第１かしめリング９０が被せられるとともにこれがかしめ付けられることで、シールドジャケット８０がシールド部材１１に対して圧着接続されている。なお各電線１０とシールド部材１１との間には、全電線１０を包囲する金属製の受けリング（図示せず）が配され、第１かしめリング９０をかしめ付ける際に作用するかしめ力を受けることが可能とされる。
【００５２】
一方、シールドジャケット８０における前側の端部８０ｂは、外部に露出した状態のシールドシェル３０の円筒部３２の後端部３２ａに対して外嵌されることで、両者の端部３２ａ，８０ｂ同士が径方向の内外に重なった配置とされる。この状態でシールドジャケット８０の前側の端部８０ｂの外周側には、金属製の第２かしめリング９１が被せられるとともにこれがかしめ付けられることで、シールドジャケット８０がシールドシェル３０に対して圧着接続されている。このように、本実施形態では、シールド部材１１をシールドシェル３０に対してシールドジャケット８０を介して接続することができる。またシールドジャケット８０の外周側には、ゴムブーツ７０が覆うようにして装着されている。
【００５３】
＜実施形態３＞
本発明の実施形態３を図２０によって説明する。この実施形態３では、実施形態２におけるシールドジャケット８０を除去してシールド部材１１をシールドシェル３０に対して直接に接続するようにしたものを示す。なおこの実施形態３では、上記した実施形態１及び２と同様の構造、作用及び効果について重複する説明は省略する。
【００５４】
シールド部材１１は、シース１２を剥いで所定長さ露出させるとともにその前端部１１ａ側を径方向に拡げた状態で、シールドシェル３０の円筒部３２の後端部３２ａに対して外嵌すると、両者の端部１１ａ，３２ａ同士が径方向の内外に重なった配置とされる。この状態でシールド部材１１の前端部１１ａの外周側には、金属製のかしめリング９２が被せられるとともにこれがかしめ付けられることで、シールド部材１１がシールドシェル３０に対して圧着接続されている。このように、本実施形態では、シールド部材１１をシールドシェル３０に対して直接に接続することができるので、実施形態１及び２と比較して部品点数の削減などを図ることができる。
【００５５】
＜実施形態４＞
本発明の実施形態４を図２１乃至図２６によって説明する。この実施形態４では、実施形態３と同じくシールド部材１１をシールドシェル３０に対して直接に接続するようにしたものであるが、成形済みのハウジング２０に対して後からシールドシェル３０を装着している点に特徴を有する。なおこの実施形態４では、上記した実施形態１乃至３と同様の構造、作用及び効果について重複する説明は省略する。
【００５６】
まず、ハウジング２０及びシールドシェル３０に関して実施形態３からの変更点を説明する。ハウジング２０の嵌合部２４には、図２３及び図２６に示すように、シールドシェル３０の嵌入を許容する環状の装着溝２０ａが設けられており、この装着溝２０ａを挟んで外周側に外筒部２０ｂが、内周側に内筒部２０ｄが、それぞれ配設されている。外筒部２０ｂと内筒部２０ｄの双方の後端位置はほぼ同じ位置に揃えられており、外筒部２０ｂの外周とフード部２２の外周とは下端の一部を除いてほぼ面一で連続している。
【００５７】
内筒部２０ｄは、ハウジング２０を構成する合成樹脂材を母材とした絶縁性を有しており、各端子金具４０に固着された各電線１０を一括して包囲するようになっている。したがって、万一、何らかの事情によって電線１０の絶縁被覆が剥がれて導体が露出したとしても、かかる導体が内筒部２０ｄと当接することにより、導体と装着溝２０ａに嵌入されたシールドシェル３０との直接的な接触が回避され、電気的な不具合が起こらないようにしてある。つまり、内筒部２０ｄは、本発明の短絡防止部に相当するものである。
【００５８】
内筒部２０ｄ側における装着溝２０ａの内壁には、後方へ行くにつれ下り勾配をなすテーパ面２０fを備えた被係止部２０ｅが突設されている。被係止部２０ｅにはシールドシェル３０の係止部３０ａ（後述する）が弾性係合可能とされる。
【００５９】
一方、シールドシェル３０は、図２１に示すように、前半部に配される大円筒部３６と、後半部に配される大円筒部３６と同心でかつ少し小径の小円筒部３７とからなり、これら大円筒部３６と小円筒部３７とがテーパ状の段差部３８を介して一体に連なっている。
【００６０】
大円筒部３６、段差部３８、及び小円筒部３７の各内周面は、嵌合部２４の内筒部２０ｄの外周面に重合して配され、このとき、段差部３８の内周面が被係止部２０ｅのテーパ面２０fと緊密に当接するようになっている。また、小円筒部３７の外周面にはシールド部材１１の端末部が被着され、更にシールド部材１１にはかしめリング９５がかしめ付けられるようになっている。かしめリング９５の前後長さは、小円筒部３７の前後長さとほぼ同じとしてある。
【００６１】
大円筒部３６にはその前端から長さ方向に沿って延びる割り溝３０ｂが周方向に間隔をあけて設けられている。ハウジング２０には割り溝３０ｂとの対応位置に係入突部２０ｇが設けられ、シールドシェル３０がハウジング２０に装着されたときに、係入突部２０ｇが割り溝３０ｂに緊密に進入することでシールドシェル３０の軸周りの回転が阻止されるようになっている。
【００６２】
また、係止部３０ａは、大円筒部３６における段差部３８寄りの位置に設けられている。係止部３０ａは、片持ち状かつ撓み変形可能に設けられ、大円筒部３６における軸芯を挟んだ対称位置に配される。詳しくは係止部３０ａは、自然状態では前端から後端にかけて大円筒部３６の内側に傾いた姿勢をとり、シールドシェル３０の装着溝２０ａへの嵌入途中では被係止部２０ｅとの当接によって外側に撓み変形され、更にシールドシェル３０が正規深さで装着されるや被係止部２０ｅとの当接を解除して元姿勢に弾性復元し、もって被係止部２０ｅの前面に係止可能とされている。
【００６３】
次に、実施形態４の組付け工程を説明する。まず、シールドシェル３０をハウジング２０に組付けるに先立って、図２２に示すように、シールドシェル３０の小円筒部３７を電線１０とシールド部材１１との間に進入させ、その状態で後方位置に待機させて置いたかしめリング９５を前方にスライドさせて、シールド部材１１の端末部を小円筒部３７とかしめリング９５との間に挟むようにする。この状態でかしめリング９５を図示しない上下型でかしめ付けると、シールド部材１１の前端部が小円筒部３７とかしめリング９５との間に挟持される。続いて、図２３に示すように、各電線１０の前端部に端子金具４０を固着接続する。これにより、シールドシェル３０とシールド導電路Ｂが一体化されたユニットが得られる。
【００６４】
かかる状態からシールドシェル３０をハウジング２０に組付けるには、まず、各端子金具４０をキャビティ２１に挿入し、次いで、シールドシェル３０を前方へ移動させて、その大円筒部３６をハウジング２０の装着溝２０ａ内に嵌入させる。大円筒部３６がハウジング２０内に深く押し込まれると、大円筒部３６の割り溝３０ｂにハウジング２０の係入突部２０ｇが進入するとともに、段差部３８がハウジング２０のテーパ面２０fと当接してそれ以上前方への移動を規制する。この正規の装着位置では、図２４に示すように、シールドシェル３０の係止部３０ａとハウジング２０の被係止部２０ｅとによる弾性係合作用に基づいてシールドシェル３０が後方への抜け止めがなされた状態で保持される。この後、カバー６０が組付けられるとともにゴムブーツ７０が被着されるが、その手順については実施形態１で既述した通りである。
【００６５】
このように実施形態４によれば、ハウジング２０に装着するに先立って、予めシールドシェル３０にシールド部材１１の端部を固着するようにしたから、組付け現場においてシールド導電路Ｂの端末処理やシールド導電路Ｂとシールドシェル３０との接続作業を行わずに済み、組付け現場における作業負担を軽減できる。
【００６６】
また、シールドシェル３０の係止部３０ａとハウジング２０の被係止部２０ｅとによる弾性係合に基づいてシールドシェル３０をハウジング２０に装着するから、シールドシェル３０のハウジング２０へのワンタッチ装着が可能となり、シールドシェル３０をハウジング２０に装着する作業に手間がかからない。
【００６７】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００６８】
（１）上記実施形態１ではシールド部材の端末部とシールドシェルとの接続手段として金属製の筒状接続部材を用いたが、本発明によれば、シールド部材の端末部を溶接によってシールドシェルに直接接続してもよい。
【００６９】
（２）上記実施形態ではシールドシェルとハウジングをインサート成形によって一体化させたが、本発明によれば、成形済みのハウジングにシールドシェルを組み付けるようにしてもよい。
【００７０】
（３）上記実施形態１ではシールドシェルと筒状接続部材を周面同士が対向するように接続させたが、本発明によれば、シールドシェルの端部と筒状接続部材の端部にフランジを形成し、そのフランジ同士を突き当てて接続してもよい。
【００７１】
（４）上記実施形態ではレバー式コネクタについて説明したが、本発明は、レバーを用いないで接続するタイプのコネクタにも適用できる。
（５）上記実施形態２において、シールドジャケットの後側の端部をシールド部材の前端部の内側に嵌合させた状態で、シールド部材の前端部の外周側に配した第１かしめリングをかしめ付けるようにしても構わない。
【００７２】
（６）上記実施形態４において、ハウジングの被係止部が撓み変形可能とされ、シールドシェルの係止部がかかる被係止部を係入可能な孔として構成されていても構わない。
【図面の簡単な説明】
【００７３】
【図１】実施形態１の側面図
【図２】断面図
【図３】ハウジングの断面図
【図４】ハウジングの側面図
【図５】ハウジングの背面図
【図６】ハウジングの平面図
【図７】シールドシェルの断面図
【図８】シールドシェルの側面図
【図９】シールドシェルの平面図
【図１０】シールドシェルの底面図
【図１１】シールドシェルの正面図
【図１２】筒状接続部材の側面図
【図１３】筒状接続部材の断面図
【図１４】筒状接続部材の背面図
【図１５】カバーの側面図
【図１６】カバーの断面図
【図１７】カバーの正面図
【図１８】カバーの背面図
【図１９】実施形態２の断面図
【図２０】実施形態３の断面図
【図２１】実施形態４の分解断面図
【図２２】シールド導電路をシールドシェルに組付ける前の断面図
【図２３】シールドシェルをハウジングに組付ける前の断面図
【図２４】断面図
【図２５】正面図
【図２６】背面図
【符号の説明】
【００７４】
Ａ…シールドコネクタ
Ｂ…シールド導電路
１０…電線
１１…シールド部材
１１ａ…端部
２０…ハウジング
３０…シールドシェル
３２…円筒部（接続部）
３２ａ…端部
４０…端子金具
５０…筒状接続部材（接続手段）
６０…カバー
８０…シールドジャケット
８０ａ…後側の端部（一方の端部）
８０ｂ…前側の端部（他方の端部）
９０…第１かしめリング
９１…第２かしめリング
９２、９５…かしめリング
【図１】
2005317485.tif 000003
【図２】
2005317485.tif 000004
【図３】
2005317485.tif 000005
【図４】
2005317485.tif 000006
【図５】
2005317485.tif 000007
【図６】
2005317485.tif 000008
【図７】
2005317485.tif 000009
【図８】
2005317485.tif 000010
【図９】
2005317485.tif 000011
【図１０】
2005317485.tif 000012
【図１１】
2005317485.tif 000013
【図１２】
2005317485.tif 000014
【図１３】
2005317485.tif 000015
【図１４】
2005317485.tif 000016
【図１５】
2005317485.tif 000017
【図１６】
2005317485.tif 000018
【図１７】
2005317485.tif 000019
【図１８】
2005317485.tif 000020
【図１９】
2005317485.tif 000021
【図２０】
2005317485.tif 000022
【図２１】
2005317485.tif 000023
【図２２】
2005317485.tif 000024
【図２３】
2005317485.tif 000025
【図２４】
2005317485.tif 000026
【図２５】
2005317485.tif 000027
【図２６】
2005317485.tif 000028